(57)【要約】【課題】使用の際に圧迫手段が傷口からはずれてしまうことのない大腿部圧迫装置を提供すること。【解決手段】大腿部圧迫装置７は、患者の大腿部動脈をその刺傷箇所で圧縮圧迫する圧迫手段８と、患者の体の回りに固定されるように構成されたベルト９と、第１の延長部１１および第２の延長部１２を有するベースプレート１０と、に加えて、さらに、第２の延長部１２に取り付けられるとともに患者の体を押圧するように構成された支持部材１３を備える。ここで、第１の延長部１１は、第２の延長部１２よりも短く、前記第１および第２の延長部１１，１２の各端部にはベルト９の端部を締着するための締着手段が設けられている。【選択図】　　　　図１
2004097815.tif 000002
【特許請求の範囲】
【請求項１】
　患者の大腿部動脈をその刺傷箇所で圧縮圧迫する圧迫手段と、前記患者の体の回りに固定されるように構成されたベルトと、第１と第２の延長部を有するベースプレートとを備え、前記第１の延長部は、前記第２の延長部よりも短く、前記第１および第２の延長部の端部に前記ベルトの端部を締着するための締着手段が設けられた大腿部圧迫装置であって、
　前記第２の延長部に取り付けられるとともに、前記患者の体を押圧するように構成された支持部材を備えることを特徴とする大腿部圧迫装置。
【請求項２】
　前記大腿部圧迫装置が前記患者の体に取り付けられた状態で、前記第１と第２の延長部の各端部が、前記ベースプレートの下方に位置することを特徴とする請求項１に記載の大腿部圧迫装置。
【請求項３】
　前記大腿部圧迫装置が前記患者の体に取り付けられた状態で、前記第１と第２の延長部の各端部が、膨張した前記圧迫手段の頂部とほぼ同じ水平高さになることを特徴とする請求項１に記載の大腿部圧迫装置。
【請求項４】
　前記第１と第２の延長部の少なくとも一方が伸縮自在であることを特徴とする請求項１〜３のいずれか一つに記載の大腿部圧迫装置。
【請求項５】
　前記支持部材は、当該支持部材が押圧する位置での前記患者の体型に応じて僅かに丸みをおびた形状を有することを特徴とする請求項１〜４のいずれか一つに記載の大腿部圧迫装置。
【請求項６】
　前記支持部材は柔軟性を有することを特徴とする請求項１〜５のいずれか一つに記載の大腿部圧迫装置。
【請求項７】
　前記支持部材はプレート又はパッドであることを特徴とする請求項１〜５のいずれか一つに記載の大腿部圧迫装置。
【発明の詳細な説明】
【技術分野】
【０００１】
　本発明は、大腿部動脈を圧迫する圧迫（又は加圧）手段を備える大腿部圧迫装置に関し、具体的には、異なる長さを有する二つの延長部と、使用の際にその大腿部圧迫装置の不均衡状態を補償する補助支持体とを備える大腿部圧迫装置に関する。
【背景技術】
【０００２】
　本発明は、本出願人に譲渡され且つ特許文献１と特許文献２の優先権を主張する特許文献３と特許文献４に開示された大腿部圧迫装置の改良に係わる。これら特許文献に記載の大腿部圧迫装置は、基本的に、患者の大腿部動脈の刺傷位置に対して圧縮圧迫する圧迫手段と、患者の体の回りに固定されるように構成されるベルトと、圧迫手段を支持すると共に二つの延長部（第１の伸展部と第２の伸展部）を備えるベースプレートと、を備えている。
【０００３】
　その大腿部圧迫装置の使用にあたり、一実施形態では、膨張可能な半球形エアクッションの態様を有する加圧手段が大腿部動脈上に位置決めされる。また、加圧手段には、第１の延長部の端から患者の体を回って第２の延長部の端へと延伸するベルトが締着される。
【０００４】
　ここで、大腿部動脈は、患者の鼠蹊（そけい）部の一方に位置するものであって体の中心にはないため、上記二つの延長部は異なる長さを有している。このことは、第１の延長部の端からエアクッションの中心に至るモーメントアームが、第２の延長部の対応するモーメントアームとは異なっていることを意味する。換言すれば、この従来の技術の圧迫装置は、固有のアンバランスな形態をとっている。このアンバランス状態は、圧迫装置を傾けさせ、さらにはエアクッションを刺傷位置からずらしてしまう場合もあることから、不要な出血を引き起こす原因となる。
【０００５】
　図３は、従来の大腿部圧迫装置１の断面図である。図３において、大腿部圧迫装置１は患者の体に取り付けられる。大腿部圧迫装置１は、基本的に、膨張可能なエアクッション２と、ベルト３と、ベースプレート４とを備える。また、ベースプレート４は、互いに反対方向に延伸する二つの延長部５，６を備える。大腿部圧迫装置１の使用にあたって、ベルト３は、患者の体をぐるりと回るように延伸している。また、ベルト３には、二つの延長部５と６の各端が取り付けられる。図３からわかるように、第１の延長部５は、第２の延長部６よりも短い。これは、エアクッション２が圧迫しようとする大腿部動脈が、体の中心から外れて位置していることに起因している。
【０００６】
　図３に示す例では、第１の延長部５の端からエアクッション２までの距離がＬであり、第２の延長部６の端からエアクッション２までの長さが３Ｌである。大腿部圧迫装置１が図に示すように、正確に水平に位置している場合、モーメントの方程式から、ベルト３から短い方の第１の延長部５に作用する力は、長い方の第２の延長部６に作用する力の３倍となる。患者の体の反対側での皮膚とベルト３との間に働く摩擦を考慮しないとすると、延長部５と延長部６からベルト３に対して働く二つの力の差が大腿部圧迫装置１を傾けることになる。
【０００７】
　図４は、ベルト３に働く力の差を補償する摩擦がない場合の仮定状態を示す図である。上記で指摘したように、この摩擦は、大腿部圧迫装置１を水平位置に維持するために要求されるものである。ベルト３と患者の皮膚との間に働く摩擦がない場合、ベルト３の引張力はその全長を通して同じであり、特に、第１の延長部５の端に働く力は、第２の延長部６の端に働く力と同じである。通常、その摩擦は、患者の皮膚とベルト３との間に生じるが、ベルトがより強く締められる程、皮膚の歪みがより大きくなり、患者にとって不快なものとなる。患者にとって不快であることのみならず、従来の大腿部圧迫装置１の固有のアンバランス状態、即ち、大腿部圧迫装置１の正確な水平な位置決めが皮膚とベルトとの間の摩擦に依存することは、大腿部圧迫装置１の位置決めを困難にさせ、上述したように、エアクッション２を傷口からずらしてしまい、不要な出血を引き起こしてしまう。
【０００８】
【特許文献１】スウェーデン特許第９００２０７７号明細書
【特許文献２】スウェーデン特許第９００３２７１号明細書
【特許文献３】米国特許第５３０７８１１号明細書
【特許文献４】欧州特許第０４６２０８８号明細書
【発明の開示】
【発明が解決しようとする課題】
【０００９】
　本発明は、上記に鑑みてなされたものであって、使用中の傾きを抑えつつ患者の大腿部動脈を圧迫し、且つユーザフレンドリーで、膨張可能なエアクッションが傷口からはずれてしまう危険性を取り除いた大腿部圧迫装置を提供することを目的としている。
【００１０】
　この目的は、大腿部圧迫装置の最も長い延長部の端に、プレートやパッドのような支持部材を備えることで達成される。使用にあたり、この支持部材（パッドやプレート）は、患者の体を圧迫し、圧迫装置を傾かせようとする力を相殺する。本発明の好適な実施の形態において、二つの延長部のそれぞれの端は、膨張したエアクッションの頂部と同じ或いはほぼ同じ高さに位置する。この構造によって、大腿部圧迫装置固有のアンバランス状態が補償され、且つ大腿部圧迫装置に働く傾斜作用を取り除くことができる。
【課題を解決するための手段】
【００１１】
　上述した課題を解決し、目的を達成するために、本発明は、患者の大腿部動脈をその刺傷箇所で圧縮圧迫する圧迫手段と、前記患者の体の回りに固定されるように構成されたベルトと、第１と第２の延長部を有するベースプレートとを備え、前記第１の延長部は、前記第２の延長部よりも短く、且つ端部に前記ベルトの端部を締着するための締着手段を備える大腿部圧迫装置であって、前記第２の延長部に取り付けられるとともに、前記患者の体を押圧するように構成された支持部材を備えることを特徴としている。
【発明の効果】
【００１２】
　本発明にかかる大腿部圧迫装置は、上記支持部材を設けることによって、大腿部圧迫装置の使用中の傾きを抑えつつ患者の大腿部動脈を圧迫することができ、ユーザフレンドリーで、且つ、圧迫手段が傷口からはずれてしまう危険性を取り除くことができるという効果を奏する。
【発明を実施するための最良の形態】
【００１３】
　図１は、本発明に記載の大腿部圧迫装置７を示す図である。図１において、患者の体に取り付けられる大腿部圧迫装置７は、圧迫（即ち、加圧）手段８と、ベルト９と、ベースプレート１０と、を基本構成として備える。また、ベースプレート１０は、二つの延長部１１，１２と支持部材（本実施の形態では、プレート１３の形態）とを備える。本実施の形態において、加圧手段８は、膨張可能なエアクッションの形態として提供されるが、クッション、半剛性部材、剛性部材或いはピストンアセンブリのような他のタイプの圧迫（即ち、加圧）手段が使用されてもよい。
【００１４】
　従来の大腿部圧迫装置の構造と同様に、第１の延長部１１と第２の延長部１２は、互いに反対の方向へ延伸しており、第１の延長部１１の端は、第２の延長部１２の端よりも加圧手段８により近い。延長部１１と１２の端には、ベルト９を患者の体の回りに締着させるために、それぞれベルト９の端を挿入することができるロック手段が設けられている。なお、ベルトを延長部の端に締着するために他の手段が設けられても良い。例えば、延長部の端に、ベルト材料でループ状に係合する小さなフックを設けてもよく、それによって、Ｖｅｌｅｒｏ（登録商標）タイプの締着手段が設けられる、或いは、ベルトが適切な接着剤によって延長部の端に取り付けられてもよく、または、これら手段の組合せが使用されてもよい。
【００１５】
　この大腿部圧迫装置７を使用するにあたり、長い方の第２の延長部１２の端に取り付けられる支持プレート１３は、支持プレート１３が無い場合に存在する大腿部圧迫装置７のアンバランス状態を補償する。この支持プレート１３によって、例え患者の皮膚とベルト９との間に摩擦が生じなくても、大腿部圧迫装置７は、水平状態を正確に維持することができる。その理由は、共通の点、即ち、エアクッション８の中心に対して異なる長さを有し且つ反対方向に延伸する二つのモーメントアームがもはや存在しないからである。
【００１６】
　第１の延長部１１と第２の延長部１２の両方（本実施の形態では少なくとも一方）は、ベースプレート１０の外から内または内から外に向けて伸縮自在であることが好ましく、これによって、大腿部圧迫装置７を可変長とし、支持プレート１３を、傷口のない一方の鼠蹊部上に正確に位置決めすることが可能になる。図３および図４に示された構造とは異なり、ベースプレート１０並びに第１の延長部１１と第２の延長部１２は、湾曲形状を有している。さらに、第１の延長部１１と第２の延長部１２は、ベースプレート１０の水平高さよりも十分下に位置する、即ち、膨張したエアクッション８の頂部とほぼ同じ水平高さに位置する。この構造は、患者に最良の快適さを与え、且つ支持プレート１３と協働して大腿部圧迫装置７に対する傾斜作用を取り除く。ここで、第１の延長部１１と第２の延長部１２の端の正確な水平高さは、大腿部圧迫装置７のこの特別な構造、即ち、ベースプレート１０の湾曲と第１の延長部１１と第２の延長部１２が如何に多くベースプレート１０から引き出されるかに依存する。しかしながら、第１の延長部１１と第２の延長部１２の各端は、少なくともベースプレート１０の水平高さの下に位置し、好ましくは、膨張した圧迫手段の頂部と同じか或いはほぼ同じ水平高さに位置するべきである。
【００１７】
　支持プレート１３は他の形状であってもよいが、圧迫すべき鼠蹊部位置において体型に沿うような形状であることが好ましい。図２は、大腿部圧迫装置７の端面図である。図２から、第２の延長部１２の端の形状が僅かに湾曲していることがわかる。この図からは明瞭ではないが、支持プレート１３は、対応する湾曲形状を有する。第２の延長部１２と支持プレート１３のこれら湾曲形状は、患者に最良の快適さを与える。さらに、これら湾曲形状は、患者が着座位置まで状態を起こした場合でも、圧迫手段８の位置ずれを生じにくくさせる。支持プレート１３の材料は、幾分柔軟性を有することが好ましいが、勿論、ベルト９からの力を相殺するのに必要な支持を提供出来ないほどに柔軟であってはならない。
【００１８】
　添付図面にも示されるように特定の実施形態に関して本発明を説明してきたが、当業者であれば分かるように、明細書に記載され且つ特許請求の範囲において規定される本発明の範囲内で、多くの変形および改良を施すことができる。
【産業上の利用可能性】
【００１９】
　以上のように、本発明にかかる大腿部圧迫装置は、刺傷からの出血を止めるために大腿部動脈を確実に且つ正確な位置で圧迫する機器として有用である。
【図面の簡単な説明】
【００２０】
【図１】実施の形態にかかる大腿部圧迫装置の断面図である。
【図２】実施の形態にかかる大腿部圧迫装置の端面図である。
【図３】従来の大腿部圧迫装置の断面図である。
【図４】傾いた状態の従来の大腿部圧迫装置の断面図である。
【符号の説明】
【００２１】
　１，７　大腿部圧迫装置
　２　膨張可能エアクッション
　３，９　ベルト
　４，１０　ベースプレート
　５，１１　第１の延長部
　６，１２　第２の延長部
　８　圧迫手段
　１３　支持部材（プレート）
【図１】
2004097815.tif 000003
【図２】
2004097815.tif 000004
【図３】
2004097815.tif 000005
【図４】
2004097815.tif 000006